(57)【特許請求の範囲】
【請求項１】
撮像光学レンズであって、
物体側から像側に向かって、順に、正の屈折力を有する第１レンズ、負の屈折力を有する第２レンズ、負の屈折力を有する第３レンズ、正の屈折力を有する第４レンズ及び負の屈折力を有する第５レンズから構成され、
そのうち、前記撮像光学レンズ全体の焦点距離をｆ、前記第１レンズの焦点距離をｆ１、前記第２レンズの焦点距離をｆ２、前記第４レンズの焦点距離をｆ４、前記第１レンズの軸上厚みをｄ１、前記第２レンズの物体側の面の曲率半径をＲ３、前記第５レンズの物体側の面の曲率半径をＲ９、前記第５レンズの像側の面の曲率半径をＲ１０にしたときに、以下の関係式を満たすことを特徴とする撮像光学レンズ。
−０．３５≦ｆ１／ｆ２≦−０．２５
１．２０≦（ｆ１＋ｆ４）／ｆ≦１．３０
０．１８≦ｄ１／ｆ≦０．２２
２．８０≦Ｒ３／ｆ≦３．５０
−０．２８≦（Ｒ９＋Ｒ１０）／（Ｒ９−Ｒ１０）≦−０．２４
【請求項２】
前記第５レンズの焦点距離をｆ５にしたときに、以下の関係式を満たすことを特徴とする請求項１に記載の撮像光学レンズ。
−０．４５≦ｆ５／ｆ≦−０．３５
【請求項３】
前記第１レンズの物体側の面の曲率半径をＲ１、前記第１レンズの像側の面の曲率半径をＲ２、前記撮像光学レンズの光学全長をＴＴＬにしたときに、以下の関係式を満たすことを特徴とする請求項１に記載の撮像光学レンズ。
０．３６≦ｆ１／ｆ≦１．１２
−２．８９≦（Ｒ１＋Ｒ２）／（Ｒ１−Ｒ２）≦−０．９５
０．０８≦ｄ１／ＴＴＬ≦０．２７
【請求項４】
前記第２レンズの像側の面の曲率半径をＲ４、前記第２レンズの軸上厚みをｄ３、前記撮像光学レンズの光学全長をＴＴＬにしたときに、以下の関係式を満たすことを特徴とする請求項１に記載の撮像光学レンズ。
−５．９１≦ｆ２／ｆ≦−１．４３
０．９１≦（Ｒ３＋Ｒ４）／（Ｒ３−Ｒ４）≦３．６１
０．０３≦ｄ３／ＴＴＬ≦０．０９
【請求項５】
前記第３レンズの焦点距離をｆ３、前記第３レンズの物体側の面の曲率半径をＲ５、前記第３レンズの像側の面の曲率半径をＲ６、前記第３レンズの軸上厚みをｄ５、前記撮像光学レンズの光学全長をＴＴＬにしたときに、以下の関係式を満たすことを特徴とする請求項１に記載の撮像光学レンズ。
−１４．５６≦ｆ３／ｆ≦−２．４９
−６．１８≦（Ｒ５＋Ｒ６）／（Ｒ５−Ｒ６）≦−０．９６
０．０４≦ｄ５／ＴＴＬ≦０．１２
【請求項６】
前記第４レンズの物体側の面の曲率半径をＲ７、前記第４レンズの像側の面の曲率半径をＲ８、前記第４レンズの軸上厚みをｄ７、前記撮像光学レンズの光学全長をＴＴＬにしたときに、以下の関係式を満たすことを特徴とする請求項１に記載の撮像光学レンズ。
０．２３≦ｆ４／ｆ≦０．８３
０．５２≦（Ｒ７＋Ｒ８）／（Ｒ７−Ｒ８）≦１．８６
０．１１≦ｄ７／ＴＴＬ≦０．３９
【請求項７】
前記第５レンズの軸上厚みをｄ９、前記撮像光学レンズの光学全長をＴＴＬにしたときに、以下の関係式を満たすことを特徴とする請求項１に記載の撮像光学レンズ。
０．０３≦ｄ９／ＴＴＬ≦０．２０
【請求項８】
前記撮像光学レンズの画角をＦＯＶにしたときに、以下の関係式を満たすことを特徴とする請求項１に記載の撮像光学レンズ。
ＦＯＶ≧７４．００°
【請求項９】
前記撮像光学レンズの光学全長をＴＴＬ、前記撮像光学レンズの像高をＩＨにしたときに、以下の関係式を満たすことを特徴とする請求項１に記載の撮像光学レンズ。
ＴＴＬ／ＩＨ≦１．５５
【発明の詳細な説明】
【技術分野】
【０００１】
本発明は、光学レンズの分野に関し、特に、スマートフォン、デジタルカメラ等の携帯端末装置、並びにモニター、ＰＣレンズ等の撮像装置に適用される撮像光学レンズに関する。
【背景技術】
【０００２】
近年、スマートフォンの登場に伴い、小型化の撮像レンズに対するニーズがますます高まっているが、一般的な撮像レンズの感光素子は、通常、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−ＯｘｉｄｅＳｅｍｉｃｏｎｄｃｔｏｒ  Ｓｅｎｓｏｒ、ＣＭＯＳ  Ｓｅｎｓｏｒ）の２種類程度しかなく、また、半導体製造工程技術の向上により、感光素子の画素サイズが縮小され、さらに、現在の電子製品は、優れた機能及び軽量化・薄型化・小型化の外観への要求が高まっているので、良好な結像品質を有する小型化の撮像レンズは、現在の市場において既に主流となっている。
【０００３】
優れた結像品質を得るために、携帯電話のカメラに搭載される従来のレンズは、３枚式、４枚式、さらに５枚式、６枚式のレンズ構造を用いることが多い。しかしながら、技術の進化及びユーザの多様化ニーズの増加に伴い、感光素子の画素面積が縮小しつつあり、システムの結像品質に対する要求が高くなってきているなか、通常の５枚式のレンズは既に良好な光学性能を持っているが、その屈折力、レンズの間隔とレンズの形状の設置は依然としてある程度の不合理的なところがあるため、レンズの構造は良好な光学性能を有するものの、大絞り、極薄化、広角化の設計要件を満たすことができない。
【発明の概要】
【発明が解決しようとする課題】
【０００４】
本発明は、従来の撮像光学レンズの広角化、極薄化が不十分であるという問題を解決するための撮像光学レンズを提供することを目的とする。
【課題を解決するための手段】
【０００５】
本発明の技術考案は下記の通りである。
【０００６】
撮像光学レンズであって、物体側から像側に向かって、順に、正の屈折力を有する第１レンズ、負の屈折力を有する第２レンズ、負の屈折力を有する第３レンズ、正の屈折力を有する第４レンズ及び負の屈折力を有する第５レンズを備え、
そのうち、前記撮像光学レンズ全体の焦点距離をｆ、前記第１レンズの焦点距離をｆ１、前記第２レンズの焦点距離をｆ２、前記第４レンズの焦点距離をｆ４、前記第１レンズの軸上厚みをｄ１、前記第２レンズの物体側の面の曲率半径をＲ３、前記第５レンズの物体側の面の曲率半径をＲ９、前記第５レンズの像側の面の曲率半径をＲ１０にしたときに、以下の関係式を満たす。
−０．３５≦ｆ１／ｆ２≦−０．２５
１．２０≦（ｆ１＋ｆ４）／ｆ≦１．３０
０．１８≦ｄ１／ｆ≦０．２２
２．８０≦Ｒ３／ｆ≦３．５０
−０．２８≦（Ｒ９＋Ｒ１０）／（Ｒ９−Ｒ１０）≦−０．２４
【０００７】
１つの実施例において、前記第５レンズの焦点距離をｆ５にしたときに、以下の関係式を満たす。
−０．４５≦ｆ５／ｆ≦−０．３５
【０００８】
１つの実施例において、前記第１レンズの物体側の面の曲率半径をＲ１、前記第１レンズの像側の面の曲率半径をＲ２、前記撮像光学レンズの光学全長をＴＴＬにしたときに、以下の関係式を満たす。
０．３６≦ｆ１／ｆ≦１．１２
−２．８９≦（Ｒ１＋Ｒ２）／（Ｒ１−Ｒ２）≦−０．９５
０．０８≦ｄ１／ＴＴＬ≦０．２７
【０００９】
１つの実施例において、前記第２レンズの像側の面の曲率半径をＲ４、前記第２レンズの軸上厚みをｄ３、前記撮像光学レンズの光学全長をＴＴＬにしたときに、以下の関係式を満たす。
−５．９１≦ｆ２／ｆ≦−１．４３
０．９１≦（Ｒ３＋Ｒ４）／（Ｒ３−Ｒ４）≦３．６１
０．０３≦ｄ３／ＴＴＬ≦０．０９
【００１０】
１つの実施例において、前記第３レンズの焦点距離をｆ３、前記第３レンズの物体側の面の曲率半径をＲ５、前記第３レンズの像側の面の曲率半径をＲ６、前記第３レンズの軸上厚みをｄ５、前記撮像光学レンズの光学全長をＴＴＬにしたときに、以下の関係式を満たす。
−１４．５６≦ｆ３／ｆ≦−２．４９
−６．１８≦（Ｒ５＋Ｒ６）／（Ｒ５−Ｒ６）≦−０．９６
０．０４≦ｄ５／ＴＴＬ≦０．１２
【００１１】
１つの実施例において、前記第４レンズの物体側の面の曲率半径をＲ７、前記第４レンズの像側の面の曲率半径をＲ８、前記第４レンズの軸上厚みをｄ７、前記撮像光学レンズの光学全長をＴＴＬにしたときに、以下の関係式を満たす。
０．２３≦ｆ４／ｆ≦０．８３
０．５２≦（Ｒ７＋Ｒ８）／（Ｒ７−Ｒ８）≦１．８６
０．１１≦ｄ７／ＴＴＬ≦０．３９
【００１２】
１つの実施例において、前記第５レンズの軸上厚みをｄ９、前記撮像光学レンズの光学全長をＴＴＬにしたときに、以下の関係式を満たす。
０．０３≦ｄ９／ＴＴＬ≦０．２０
【００１３】
１つの実施例において、前記撮像光学レンズの画角をＦＯＶにしたときに、以下の関係式を満たす。
ＦＯＶ≧７４．００°
【００１４】
１つの実施例において、前記撮像光学レンズの光学全長をＴＴＬ、前記撮像光学レンズの像高をＩＨにしたときに、以下の関係式を満たす。
ＴＴＬ／ＩＨ≦１．５５
【発明の効果】
【００１５】
本発明の有益な効果は下記の通りである。
【００１６】
従来技術と比べて、本発明に係る撮像光学レンズは、優れた光学特性を有し、且つ大絞り、広角化及び極薄化の特性を有し、特に高画素用のＣＣＤ、ＣＭＯＳ等の撮像素子から構成される携帯電話の撮像レンズ部品とＷＥＢ撮像レンズに適用することができる。
【図面の簡単な説明】
【００１７】
【図１】図１は、本発明の第１実施形態に係る撮像光学レンズの構造を示す図である。
【図２】図２は、図１に示す撮像光学レンズの球面収差を示す図である。
【図３】図３は、図１に示す撮像光学レンズの倍率色収差を示す図である。
【図４】図４は、図１に示す撮像光学レンズの像面湾曲及び歪曲収差を示す図である。
【図５】図５は、本発明の第２実施形態に係る撮像光学レンズの構造を示す図である。
【図６】図６は、図５に示す撮像光学レンズの球面収差を示す図である。
【図７】図７は、図５に示す撮像光学レンズの倍率色収差を示す図である。
【図８】図８は、図５に示す撮像光学レンズの像面湾曲及び歪曲収差を示す図である。
【図９】図９は、本発明の第３実施形態に係る撮像光学レンズの構造を示す図である。
【図１０】図１０は、図９に示す撮像光学レンズの球面収差を示す図である。
【図１１】図１１は、図９に示す撮像光学レンズの倍率色収差を示す図である。
【図１２】図１２は、図９に示す撮像光学レンズの像面湾曲及び歪曲収差を示す図である。
【発明を実施するための形態】
【００１８】
以下、図面及び実施形態を組み合わせて本発明をさらに説明する。
【００１９】
本発明の目的、技術考案及び利点をより明確にするために、以下に、図面を参照しながら本発明の各実施形態を詳しく説明する。ただし、本発明の各実施形態において、本発明に対する理解を便宜にするために、多くの技術的細部まで記載されているが、これらの技術的細部及び以下の各実施形態に基づく種々の変更及び修正がなくても、本発明が保護しようとする技術考案を実現可能であることは、当業者にとっては自明なことである。
【００２０】
第１実施形態
図１〜図４を合わせて参照すると、本発明には、第１実施形態に係る撮像光学レンズ１０が提供される。図１において、左側が物体側であり、右側が像側であり、撮像光学レンズ１０は、主に同軸に設置された５枚のレンズを備え、具体的に、物体側から像側に向かって、順に、第１レンズＬ１、第２レンズＬ２、第３レンズＬ３、第４レンズＬ４及び第５レンズＬ５を備える。第１レンズＬ１の物体側の面に絞りＳ１がさらに設けられ、第５レンズＬ５と像面Ｓｉとの間にガラスプレートＧＦが設けられ、ガラスプレートＧＦはガラスカバーであってもよいし、光学フィルターであってもよい。
【００２１】
本実施形態において、第１レンズＬ１は正の屈折力を有し、第２レンズＬ２は負の屈折力を有し、第３レンズＬ３は負の屈折力を有し、第４レンズＬ４は正の屈折力を有し、第５レンズＬ５は負の屈折力を有する。
【００２２】
ここで、前記撮像光学レンズ１０全体の焦点距離をｆ、第１レンズＬ１の焦点距離をｆ１、第２レンズＬ２の焦点距離をｆ２、第４レンズＬ４の焦点距離をｆ４、第１レンズＬ１の軸上厚みをｄ１、第２レンズＬ２の物体側の面の曲率半径をＲ３、第５レンズＬ５の物体側の面の曲率半径をＲ９、第５レンズＬ５の像側の面の曲率半径をＲ１０にしたときに、ｆ、ｆ１、ｆ２、ｆ４、ｄ１、Ｒ３、Ｒ９、Ｒ１０は以下の関係式を満たす。
−０．３５≦ｆ１／ｆ２≦−０．２５                            （１）
１．２０≦（ｆ１＋ｆ４）／ｆ≦１．３０                        （２）
０．１８≦ｄ１／ｆ≦０．２２                                  （３）
２．８０≦Ｒ３／ｆ≦３．５０                                  （４）
−０．２８≦（Ｒ９＋Ｒ１０）／（Ｒ９−Ｒ１０）≦−０．２４    （５）
【００２３】
そのうち、関係式（１）には、第１レンズＬ１の焦点距離と第２レンズＬ２の焦点距離との比が規定される。関係式（１）に規定された範囲内にあると、撮像光学レンズ１０の球面収差及び像面湾曲量を効果的に均衡させることができる。
【００２４】
関係式（２）には、第１レンズＬ１の焦点距離と第４レンズＬ４の焦点距離の和と、撮像光学レンズ１０全体の焦点距離との比が規定される。関係式（２）に規定された範囲内にあると、焦点距離を合理的に配分することで、撮像光学レンズ１０として、優れた結像品質及び低い感度を有する。
【００２５】
関係式（３）には、第１レンズＬ１の軸上厚みと撮像光学レンズ１０全体の焦点距離との比が規定される。関係式（３）に規定された範囲内にあると、撮像光学レンズ１０の全長の短縮、極薄化の効果の実現に役立つ。
【００２６】
関係式（４）には、第３レンズＬ３の物体側の面の曲率半径と撮像光学レンズ１０全体の焦点距離との比が規定される。関係式（４）に規定された範囲内にあると、撮像光学レンズ１０の光学性能の向上に役立つ。
【００２７】
関係式（５）には、第５レンズＬ５の形状が規定される。関係式（５）に規定された範囲内にあると、レンズを通過する光線のずれの程度を緩和することができ、収差を有効的に減少させることができる。
【００２８】
本実施形態において、第５レンズＬ５の焦点距離をｆ５にしたときに、ｆ５とｆは以下の関係式を満たす。
−０．４５≦ｆ５／ｆ≦−０．３５                            （６）
【００２９】
関係式（６）には、第５レンズＬ５の焦点距離と撮像光学レンズ１０全体の焦点距離との比が規定される。関係式（６）に規定された範囲内にあると、焦点距離を合理的に配分することで、撮像光学レンズ１０として、優れた結像品質及び低い感度を有する。
【００３０】
本実施形態において、第１レンズＬ１の物体側の面の曲率半径をＲ１、第１レンズＬ１の像側の面の曲率半径をＲ２、撮像光学レンズ１０の光学全長をＴＴＬにしたときに、ｆ１、ｆ、Ｒ１、Ｒ２、ｄ１、ＴＴＬは以下の関係式を満たす。
０．３６≦ｆ１／ｆ≦１．１２                                （７）
−２．８９≦（Ｒ１＋Ｒ２）／（Ｒ１−Ｒ２）≦−０．９５      （８）
０．０８≦ｄ１／ＴＴＬ≦０．２７                            （９）
【００３１】
そのうち、関係式（７）には、第１レンズＬ１の焦点距離と撮像光学レンズ１０全体の焦点距離との比が規定される。関係式（７）に規定された範囲内にあると、第１レンズＬ１が適当な正の屈折力を有することで、システムの収差の減少に有利であると共に、レンズの極薄化、広角化が進むことにも有利である。
【００３２】
関係式（８）には、第１レンズＬ１の形状が規定される。関係式（８）に規定された範囲内にあると、第１レンズＬ１として、システムの球面収差を効果的に補正することができる。
【００３３】
関係式（９）には、第１レンズＬ１の軸上厚みと撮像光学レンズ１０の光学全長との比が規定される。関係式（９）に規定された範囲内にあると、極薄化の効果の実現に有利である。
【００３４】
本実施形態において、第２レンズＬ２の像側の面の曲率半径をＲ４、第２レンズＬ２の軸上厚みをｄ３にしたときに、ｆ２、ｆ、Ｒ３、Ｒ４、ｄ３、ＴＴＬは以下の関係式を満たす。
−５．９１≦ｆ２／ｆ≦−１．４３                          （１０）
０．９１≦（Ｒ３＋Ｒ４）／（Ｒ３−Ｒ４）≦３．６１        （１１）
０．０３≦ｄ３／ＴＴＬ≦０．０９                          （１２）
【００３５】
そのうち、関係式（１０）には、第２レンズＬ２の焦点距離と撮像光学レンズ１０全体の焦点距離との比が規定される。関係式（１０）に規定された範囲内にあると、第２レンズＬ２の負の屈折力を合理的な範囲に制御することで、光学系の収差の補正に有利である。
【００３６】
関係式（１１）には、第２レンズＬ２の形状が規定される。関係式（１１）に規定された範囲内にあると、撮像光学レンズ１０の極薄化・広角化が進むに従って、軸上の収差の問題の補正に有利である。
【００３７】
関係式（１２）には、第２レンズＬ２の厚みと撮像光学レンズ１０の光学全長との比が規定される。関係式（１２）に規定された範囲内にあると、極薄化の効果の実現に有利である。
【００３８】
本実施形態において、第３レンズＬ３の焦点距離をｆ３、第３レンズＬ３の物体側の面の曲率半径をＲ５、第３レンズＬ３の像側の面の曲率半径をＲ６、第３レンズＬ３の軸上厚みをｄ５にしたときに、ｆ３、ｆ、Ｒ５、Ｒ６、ｄ５、ＴＴＬは以下の関係式を満たす。
−１４．５６≦ｆ３／ｆ≦−２．４９                        （１３）
−６．１８≦（Ｒ５＋Ｒ６）／（Ｒ５−Ｒ６）≦−０．９６    （１４）
０．０４≦ｄ５／ＴＴＬ≦０．１２                          （１５）
【００３９】
そのうち、関係式（１３）には、第３レンズＬ３の焦点距離と撮像光学レンズ１０全体の焦点距離との比が規定される。関係式（１３）に規定された範囲内にあると、屈折力を合理的に配分することで、撮像光学レンズ１０として、優れた結像品質及び低い感度を有する。
【００４０】
関係式（１４）には、第３レンズＬ３の形状が規定される。関係式（１４）に規定された範囲内にあると、第３レンズＬ３の成型に有利であると共に、第３レンズＬ３の表面の曲率が大きすぎることによる成型不良及び応力の発生を回避することができる。
【００４１】
関係式（１５）には、第３レンズＬ３の厚みと撮像光学レンズ１０の光学全長との比が規定される。関係式（１５）に規定された範囲内にあると、極薄化の効果の実現に有利である。
【００４２】
本実施形態において、第４レンズＬ４の物体側の面の曲率半径をＲ７、第４レンズＬ４の像側の面の曲率半径をＲ８、第４レンズＬ４の軸上厚みをｄ７にしたときに、ｆ４、ｆ、Ｒ７、Ｒ８、ｄ７、ＴＴＬは以下の関係式を満たす。
０．２３≦ｆ４／ｆ≦０．８３                              （１６）
０．５２≦（Ｒ７＋Ｒ８）／（Ｒ７−Ｒ８）≦１．８６        （１７）
０．１１≦ｄ７／ＴＴＬ≦０．３９                          （１８）
【００４３】
そのうち、関係式（１６）には、第４レンズＬ４の焦点距離と撮像光学レンズ１０全体の焦点距離との比が規定される。関係式（１６）に規定された範囲内にあると、屈折力を合理的に配分することで、撮像光学レンズ１０として、優れた結像品質及び低い感度を有する。
【００４４】
関係式（１７）には、第４レンズＬ４の形状が規定される。関係式（１７）に規定された範囲内にあると、極薄化・広角化が進むに従って、軸外画角の収差等の問題の補正に有利である。
【００４５】
関係式（１８）には、第４レンズＬ４の厚みと撮像光学レンズ１０の光学全長との比が規定される。関係式（１８）に規定された範囲内にあると、極薄化の効果の実現に有利である。
【００４６】
本実施形態において、第５レンズＬ５の軸上厚みをｄ９にしたときに、ｄ９とＴＴＬは以下の関係式を満たす。
０．０３≦ｄ９／ＴＴＬ≦０．２０                          （１９）
【００４７】
関係式（１９）には、第５レンズＬ５の厚みと撮像光学レンズ１０の光学全長との比が規定される。関係式（１９）に規定された範囲内にあると、極薄化の効果の実現に有利である。
【００４８】
なお、本実施形態に係る撮像光学レンズ１０において、収差を削減し、さらにレンズの使用数を減少させるように、各レンズの表面は非球面に設定することができ、非球面は球面以外の形状に容易に作成可能であり、多くの制御変数を得ることができる。これによって、撮像光学レンズ１０の全長を効果的に短縮することができる。本発明の実施例において、各レンズの物体側の面及び像側の面はいずれも非球面である。
【００４９】
なお、第１レンズＬ１、第２レンズＬ２、第３レンズＬ３、第４レンズＬ４及び第５レンズＬ５が前述した構造とパラメータの関係を有するため、撮像光学レンズ１０として、各レンズの屈折力、間隔及び形状を合理的に配分することができ、それによって、諸収差を補正することができる。
【００５０】
本実施形態において、ＴＴＬ／ＩＨ≦１．５５、ＦＯＶ≧７４．００°の関係式がさらに設立され、そのうち、ＴＴＬは撮像光学レンズ１０の光学全長であり、ＩＨは撮像光学レンズ１０の像高であり、ＦＯＶは画角である。このように、撮像光学レンズ１０は良好な光学結像性能を有すると共に、広角化、極薄化の設計要件を満たすこともできる。
【００５１】
以下、実施例を用いて、本発明に係る撮像光学レンズ１０を説明する。各実施例に記載の符号は以下の通りであり、焦点距離、軸上距離、曲率半径、軸上厚み、光学全長、変曲点位置及び停留点位置の単位はいずれもｍｍである。
【００５２】
また、高品質な結像性能を得られるように、前記レンズの物体側の面及び像側の面の少なくとも１つに、変曲点及び／又は停留点がさらに設けられていてもよい。具体的な実施案については、後述する。
【００５３】
以下には、図１に示す撮像光学レンズ１０の設定データが示される。
【００５４】
表１には、本発明の第１実施形態における撮像光学レンズ１０を構成する第１レンズＬ１〜第５レンズＬ５の物体側の面の曲率半径と像側の面の曲率半径Ｒ、各レンズの軸上厚み、隣接するレンズ間の距離ｄ、屈折率ｎｄ及びアッベ数ｖｄを示す。
【００５５】
【表１】
0006883694.tif 000002
【００５６】
ここで、各符号の意味は、以下の通りである。
Ｓ１    ：絞り
Ｒ      ：光学面の曲率半径、レンズの場合は中心曲率半径
Ｒ１    ：第１レンズＬ１の物体側の面の曲率半径
Ｒ２    ：第１レンズＬ１の像側の面の曲率半径  
Ｒ３    ：第２レンズＬ２の物体側の面の曲率半径
Ｒ４    ：第２レンズＬ２の像側の面の曲率半径
Ｒ５    ：第３レンズＬ３の物体側の面の曲率半径
Ｒ６    ：第３レンズＬ３の像側の面の曲率半径
Ｒ７    ：第４レンズＬ４の物体側の面の曲率半径
Ｒ８    ：第４レンズＬ４の像側の面の曲率半径
Ｒ９    ：第５レンズＬ５の物体側の面の曲率半径
Ｒ１０  ：第５レンズＬ５の像側の面の曲率半径
Ｒ１１  ：ガラスプレートＧＦの物体側の面の曲率半径
Ｒ１２  ：ガラスプレートＧＦの像側の面の曲率半径
ｄ      ：レンズの軸上厚み、又は、レンズ間の軸上距離
ｄ０    ：絞りＳ１から第１レンズＬ１の物体側の面までの軸上距離
ｄ１    ：第１レンズＬ１の軸上厚み
ｄ２    ：第１レンズＬ１の像側の面から第２レンズＬ２の物体側の面までの軸上距離
ｄ３    ：第２レンズＬ２の軸上厚み
ｄ４    ：第２レンズＬ２の像側の面から第３レンズＬ３の物体側の面までの軸上距離
ｄ５    ：第３レンズＬ３の軸上厚み
ｄ６    ：第３レンズＬ３の像側の面から第４レンズＬ４の物体側の面までの軸上距離
ｄ７    ：第４レンズＬ４の軸上厚み
ｄ８    ：第４レンズＬ４の像側の面から第５レンズＬ５の物体側の面までの軸上距離
ｄ９    ：第５レンズＬ５の軸上厚み
ｄ１０  ：第５レンズＬ５の像側の面からガラスプレートＧＦの物体側の面までの軸上距離
ｄ１１  ：ガラスプレートＧＦの軸上厚み
ｄ１２  ：ガラスプレートＧＦの像側の面から像面Ｓｉまでの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄｇ  ：ガラスプレートＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖｇ    ：ガラスプレートＧＦのアッベ数
【００５７】
【表２】
0006883694.tif 000003
【００５８】
表２において、ｋは円錐係数であり、Ａ４、Ａ６、Ａ８、Ａ１０、Ａ１２、Ａ１４、Ａ１６、Ａ１８、Ａ２０は非球面係数である。
ｙ＝（ｘ２／Ｒ）／｛１＋［１−（ｋ＋１）（ｘ２／Ｒ２）］１／２｝＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０
【００５９】
各レンズ面の非球面は、便宜上、上記式で示される非球面を使用しているが、本発明は、当該式で示される非球面多項式に限定されるものではない。
【００６０】
【表３】
0006883694.tif 000004
【００６１】
【表４】
0006883694.tif 000005
【００６２】
表３、表４は、本実施例に係る撮像光学レンズ１０における各レンズの変曲点及び停留点の設定データを示す。ここで、Ｐ１Ｒ１、Ｐ１Ｒ２は、それぞれ第１レンズＬ１の物体側の面と像側の面を示し、Ｐ２Ｒ１、Ｐ２Ｒ２は、それぞれ第２レンズＬ２の物体側の面と像側の面を示し、Ｐ３Ｒ１、Ｐ３Ｒ２は、それぞれ第３レンズＬ３の物体側の面と像側の面を示し、Ｐ４Ｒ１、Ｐ４Ｒ２は、それぞれ第４レンズＬ４の物体側の面と像側の面を示し、Ｐ５Ｒ１、Ｐ５Ｒ２は、それぞれ第５レンズＬ５の物体側の面と像側の面を示す。また、「変曲点位置」欄の対応するデータは、各レンズの表面に設けられた変曲点から撮像光学レンズ１０の光軸までの垂直距離であり、「停留点位置」欄の対応するデータは、各レンズの表面に設けられた停留点から撮像光学レンズ１０の光軸までの垂直距離である。
【００６３】
また、後記の表１３には、第１実施形態における諸パラメータ及び関係式に対応する値を示す。
【００６４】
図２、図３はそれぞれ波長４３５ｎｍ、４８６ｎｍ、５４６ｎｍ、５８７ｎｍ及び６５６ｎｍの光が撮像光学レンズ１０を通った後の球面収差及び倍率色収差を示す図である。図４は、波長５４６ｎｍの光が撮像光学レンズ１０を通った後の像面湾曲及び歪曲収差を示す図であり、図４の像面湾曲Ｓは、サジタル方向の像面湾曲であり、Ｔは、子午方向の像面湾曲である。
【００６５】
本実施形態において、撮像光学レンズ１０の像高をＩＨ、画角をＦＯＶ、入射瞳径をＥＮＰＤにしたときに、ＩＨ＝２．５９ｍｍ、対角線方向のＦＯＶ＝７４．２０°、ＥＮＰＤ＝１．５２８となり、このように、撮像光学レンズ１０は大絞り、極薄化及び広角化の特性を有し、且つ優れた結像性能を有する。
【００６６】
第２実施形態
図５は、本発明の第２実施形態に係る撮像光学レンズ２０の構造を示す図である。第２実施形態は第１実施形態とほぼ同じであり、下記の表における符号の意味も第１実施形態と同様であるため、ここで、同じ部分について再び説明しなく、異なる点のみを以下に示す。
【００６７】
表５、表６は、本発明の第２実施形態に係る撮像光学レンズ２０の設定データを示す。
【００６８】
【表５】
0006883694.tif 000006
【００６９】
【表６】
0006883694.tif 000007
【００７０】
表６において、ｋは円錐係数であり、Ａ４、Ａ６、Ａ８、Ａ１０、Ａ１２、Ａ１４、Ａ１６、Ａ１８、Ａ２０は非球面係数である。
ｙ＝（ｘ２／Ｒ）／｛１＋［１−（ｋ＋１）（ｘ２／Ｒ２）］１／２｝＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０
【００７１】
各レンズ面の非球面は、便宜上、上記式で示される非球面を使用しているが、本発明は、当該式で示される非球面多項式に限定されるものではない。
【００７２】
表７、表８は、撮像光学レンズ２０における各レンズの変曲点及び停留点の設定データを示す。
【００７３】
【表７】
0006883694.tif 000008
【００７４】
【表８】
0006883694.tif 000009
【００７５】
また、後記の表１３には、第２実施形態における諸パラメータ及び関係式に対応する値を示す。
【００７６】
図６、図７はそれぞれ波長４３５ｎｍ、４８６ｎｍ、５４６ｎｍ、５８７ｎｍ及び６５６ｎｍの光が撮像光学レンズ２０を通った後の球面収差及び倍率色収差を示す図である。図８は、波長５４６ｎｍの光が撮像光学レンズ２０を通った後の像面湾曲及び歪曲収差を示す図であり、図８の像面湾曲Ｓは、サジタル方向の像面湾曲であり、Ｔは、子午方向の像面湾曲である。
【００７７】
本実施形態において、撮像光学レンズ２０の像高をＩＨ、画角をＦＯＶ、入射瞳径をＥＮＰＤにしたときに、ＩＨ＝２．５９ｍｍ、対角線方向のＦＯＶ＝７５．００°、ＥＮＰＤ＝１．５００となり、このように、撮像光学レンズ２０は大絞り、極薄化及び広角化の特性を有し、且つ優れた結像性能を有する。
【００７８】
第３実施形態
図９は、本発明の第３実施形態に係る撮像光学レンズ３０の構造を示す図である。第３実施形態は第１実施形態とほぼ同じであり、下記の表における符号の意味も第１実施形態と同様であるため、ここで、同じ部分について再び説明しなく、異なる点のみを以下に示す。
【００７９】
表９、表１０は、本発明の第３実施形態に係る撮像光学レンズ３０の設定データを示す。
【００８０】
【表９】
0006883694.tif 000010
【００８１】
【表１０】
0006883694.tif 000011
【００８２】
表１０において、ｋは円錐係数であり、Ａ４、Ａ６、Ａ８、Ａ１０、Ａ１２、Ａ１４、Ａ１６、Ａ１８、Ａ２０は非球面係数である。
ｙ＝（ｘ２／Ｒ）／｛１＋［１−（ｋ＋１）（ｘ２／Ｒ２）］１／２｝＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０
【００８３】
各レンズ面の非球面は、便宜上、上記式で示される非球面を使用しているが、本発明は、当該式で示される非球面多項式に限定されるものではない。
【００８４】
表１１、表１２は、撮像光学レンズ３０における各レンズの変曲点及び停留点の設定データを示す。
【００８５】
【表１１】
0006883694.tif 000012
【００８６】
【表１２】
0006883694.tif 000013
【００８７】
また、後記の表１３には、第３実施形態における諸パラメータ及び関係式に対応する値を示す。
【００８８】
図１０、図１１はそれぞれ波長４３５ｎｍ、４８６ｎｍ、５４６ｎｍ、５８７ｎｍ及び６５６ｎｍの光が撮像光学レンズ３０を通った後の球面収差及び倍率色収差を示す図である。図１２は、波長５４６ｎｍの光が撮像光学レンズ３０を通った後の像面湾曲及び歪曲収差を示す図であり、図１２の像面湾曲Ｓは、サジタル方向の像面湾曲であり、Ｔは、子午方向の像面湾曲である。
【００８９】
本実施形態において、撮像光学レンズ３０の像高をＩＨ、画角をＦＯＶ、入射瞳径をＥＮＰＤにしたときに、ＩＨ＝２．５９ｍｍ、対角線方向のＦＯＶ＝７６．００°、ＥＮＰＤ＝１．４６２となり、このように、撮像光学レンズ３０は大絞り、極薄化及び広角化の特性を有し、且つ優れた結像性能を有する。
【００９０】
下記の表１３には、上記の関係式ごとに第１実施形態、第２実施形態、第３実施形態におけるパラメータ及び関係式（１）、（２）、（３）、（４）、（５）に対応する数値を示している。
【００９１】
【表１３】
0006883694.tif 000014
【００９２】
ここで、ｆ１２は第１レンズＬ１と第２レンズＬ２の合成焦点距離である。
【００９３】
上記の各実施形態は本発明を実現するための具体的な実施形態であるが、実際の応用において、本発明の主旨及び範囲から逸脱しない範囲での形式及び細部に対する各種の変更は、いずれも本発明の保護範囲に属することは、当業者であれば理解できるはずである。
【図１】
0006883694.tif 000015
【図２】
0006883694.tif 000016
【図３】
0006883694.tif 000017
【図４】
0006883694.tif 000018
【図５】
0006883694.tif 000019
【図６】
0006883694.tif 000020
【図７】
0006883694.tif 000021
【図８】
0006883694.tif 000022
【図９】
0006883694.tif 000023
【図１０】
0006883694.tif 000024
【図１１】
0006883694.tif 000025
【図１２】
0006883694.tif 000026